(57)【要約】 【課題】  浴槽に合わせて大きさを簡単に調整して設置することができる、施工性に勝れたユニットバス用ハウジングを得る。【解決手段】  ハウジングの床部１が、浴槽５を設置するための浴槽パン６と、洗い場を形成するための洗い場パン７と、これらの浴槽パン６及び洗い場パン７を取り付けるための床枠８とに区分されると共に、該床枠８が、上記浴槽パン６及び洗い場パン７の外側を取り囲む矩形の外枠体８Ａと、これら両パンの間に介在する仕切部材８Ｂとに分割され、さらに、上記外枠体８Ａが複数の枠部材１５〜２４に分割される。【選択図】        図４
2006299613.tif 000002
【特許請求の範囲】
【請求項１】
浴室の床部と、浴室の周囲を取り囲む側壁部と、浴室の上面を覆う天井部とからなり、上記床部が、浴槽を設置するための浴槽パンと、洗い場を形成するための洗い場パンと、これらの浴槽パン及び洗い場パンを取り付けるための床枠とに区分されると共に、該床枠が、上記浴槽パン及び洗い場パンの外側を取り囲む矩形の外枠体と、これら両パンの間に介在して両端部が外枠体の相対する第１側辺及び第２側辺の中間部に結合された仕切部材とに分割され、さらに、上記外枠体が複数の枠部材に分割されていて、
上記外枠体を浴槽パン及び洗い場パンに適合する大きさの複数の枠部材を結合して組み立てると共に、該外枠体に上記浴槽パン及び洗い場パンに適合する大きさの上記仕切部材を結合し、さらに、これらの外枠体及び仕切部材に上記浴槽パン及び洗い場パンを結合することにより、上記床部が形成されていることを特徴とするユニットバス用ハウジング。
【請求項２】
上記外枠体が、各コーナーに位置するエルボー形をした４つの角枠部材と、上記第１側辺及び第２側辺のそれぞれ中間部に位置して上記仕切部材の両端が結合される中間枠部材と、上記第１側辺及び第２側辺において各側辺両端の２つの角枠部材と上記中間枠部材とを結ぶ調整枠部材と、上記外枠体の他の相対する第３側辺及び第４側辺において各側辺両端の２つの角枠部材間に位置する調整枠部材とに分割されていることを特徴とする請求項１に記載のユニットバス用ハウジング。
【請求項３】
上記天井部が、縦横方向の分割線によって４つの天井パネル部材に区分されると共に、これら４つの天井パネル部材の間に天井調整部材を介在させることにより、該天井部の大きさが上記床部の大きさに合わせて調整されていることを特徴とする請求項１又は２に記載のユニットバス用ハウジング。
【発明の詳細な説明】
【技術分野】
【０００１】
本発明はユニットバス用ハウジングに関するものであり、さらに詳しくは、備え付けるべき浴槽に合わせて大きさを調整して設置することができるユニットバス用ハウジングに関するものである。
【背景技術】
【０００２】
ユニットバスは一般に、床部と側壁部と天井部とからなるハウジングの内部に浴槽を一体に備え付けたもので、防水性や使用性に勝れるという特徴がある。このため近年では、マンション等において浴室をリフォームするような場合に、ユニットバス形式にするケースが多くなっている。この場合、ハウジングと浴槽とが予めセットになったものを設置するのが簡単であるが、状況によっては、使用すべき浴槽が既に決まっていることもあり、このような場合には、浴槽に適合する大きさの既存のハウジングを探して使用するか、あるいは、浴槽に適合する大きさの新たなハウジングを作成しなければならない。
【発明の開示】
【発明が解決しようとする課題】
【０００３】
ところが、既存のハウジングを使用する場合には、浴槽にうまく適合する大きさのハウジングを探しだすのが非常に困難であり、また、ハウジングを新たに作成する場合でも、設計から部材の加工及び組み立てに至るまでの工程を全て最初から行わなければならないため、施工が非常に面倒で多くの手数と時間とを要することになる。
【０００４】
そこで、本発明の目的は、浴槽に合わせて大きさを簡単に調整して設置することができる、施工性に勝れたユニットバス用ハウジングを提供することにある。
【課題を解決するための手段】
【０００５】
上記目的を達成するため、本発明のユニットバス用ハウジングは、浴室の床部と、浴室の周囲を取り囲む側壁部と、浴室の上面を覆う天井部とで構成され、上記床部が、浴槽を設置するための浴槽パンと、洗い場を形成するための洗い場パンと、これらの浴槽パン及び洗い場パンを取り付けるための床枠とに区分されると共に、該床枠が、上記浴槽パン及び洗い場パンの外側を取り囲む矩形の外枠体と、これら両パンの間に介在して両端部が外枠体の相対する第１側辺及び第２側辺の中間部に結合された仕切部材とに分割され、さらに、上記外枠体が複数の枠部材に分割されていて、上記外枠体を浴槽パン及び洗い場パンに適合する大きさの複数の枠部材を結合して組み立てると共に、該外枠体に上記浴槽パン及び洗い場パンに適合する大きさの上記仕切部材を結合し、さらに、これらの外枠体及び仕切部材に上記浴槽パン及び洗い場パンを結合することにより、上記床部が形成されていることを特徴とするものである。
【０００６】
本発明において好ましくは、上記外枠体が、各コーナーに位置するエルボー形をした４つの角枠部材と、上記第１側辺及び第２側辺のそれぞれ中間部に位置して上記仕切部材の両端が結合される中間枠部材と、上記第１側辺及び第２側辺において各側辺両端の２つの角枠部材と上記中間枠部材とを結ぶ調整枠部材と、上記外枠体の他の相対する第３側辺及び第４側辺において各側辺両端の２つの角枠部材間に位置する調整枠部材とに分割されていることである。
【０００７】
また、本発明においては、上記天井部が、縦横方向の分割線によって４つの天井パネル部材に区分されると共に、これら４つの天井パネル部材の間に天井調整部材を介在させることにより、該天井部の大きさが上記床部の大きさに合わせて調整されていることが望ましい。
【発明の効果】
【０００８】
浴槽に適合する大きさの浴槽パンと洗い場パンとを選択したあと、これらの浴槽パン及び洗い場パンに適合する大きさの枠部材を結合して外枠体を組み立てると共に、この外枠体に仕切部材を結合し、さらに上記浴槽パン及び洗い場パンを取り付けて床部を形成し、この床部に合わせて側壁部と天井部とを組み付けることにより、浴槽に適合する大きさのハウジングを簡単に形成して設置することができる。
【発明を実施するための最良の形態】
【０００９】
図１は本発明に係るユニットバス用ハウジングの全体の外観図を示すものである。内部に浴室空間を有するこのハウジングは、四角形の箱形をなしていて、浴室の床部１と、浴室の周囲を取り囲む側壁部２と、浴室の上面を覆う天井部３とで構成されている。これらの床部１と側壁部２及び天井部３は、何れも組立式になっていて、複数の部材を液密に結合することにより組み立てられると共に、相互に液密状態に結合されている。以下、それらの構成について詳細に説明する。
【００１０】
図２〜図４から明らかなように、上記床部１は、浴槽用と洗い場用の２つの領域１Ａ，１Ｂに分かれていて、上記浴槽５を設置するための浴槽パン６と、洗い場を形成するための洗い場パン７と、これらの浴槽パン６及び洗い場パン７を隣接する位置に並べて取り付けるための床枠８とで構成されている。この床枠８は、上記側壁部２を構成する壁パネル９を連結するためのジョイント部材としての役目も果たすものである。
【００１１】
上記浴槽パン６及び洗い場パン７は、矩形の平板状又は浅皿状をしたパネルからなるもので、繊維強化プレスチック（ＦＲＰ）やステンレス（ＳＵＳ）などの、強度が大きくかつ錆びにくい素材によって形成されている。また、上記浴槽パン６は、設置する浴槽５の大きさに応じた大きさのものが選択され、それに合わせて上記洗い場パン７の大きさが選択されている。
【００１２】
上記床枠８は、並んで位置する上記浴槽パン６及び洗い場パン７の外側全体を取り囲む矩形の外枠体８Ａと、これら両パン６，７の間に介在して両端部が該外枠体８Ａの相対する第１側辺１１及び第２側辺１２の中間位置に結合された仕切部材８Ｂとで構成されており、この仕切部材８Ｂにより上記外枠体８Ａが、一半部側の浴槽パン取付部８Ｃと他半部側の洗い場パン取付部８Ｄとに区画されている。
【００１３】
上記外枠体８Ａは、上記浴槽パン取付部８Ｃと洗い場パン取付部８Ｄとに跨って延びる上記第１側辺１１及び第２側辺１２と、これらの側辺とは９０度向きが異なる他の相対する第３側辺１３及び第４側辺１４とを有していて、複数の枠部材に分割され、これらの枠部材を一体に連結することにより組み立てられている。
【００１４】
即ち、上記外枠体８Ａは、各コーナーに位置するエルボー形の第１〜第４角枠部材１５〜１８と、上記第１側辺１１及び第２側辺１２のそれぞれ中間部に位置して上記仕切部材８Ｂの両端が結合された第１及び第２中間枠部材１９，２０と、上記第１側辺１１において、上記第１中間枠部材１９と第１角枠部材１５及び第３角枠部材１７との間にそれぞれ位置する調整枠部材２１，２１と、上記第２側辺１２において、上記第２中間枠部材２０と第２角枠部材１６及び第４角枠部材１８との間にそれぞれ位置する調整枠部材２２，２２と、上記第３側辺１３において、この側辺両端の上記第１角枠部材１５と第２角枠部材１６との間に位置する調整枠部材２３と、上記第４側辺１４において、この側辺両端の上記第３角枠部材１７と第４角枠部材１８との間に位置する調整枠部材２４とに分割されている。
【００１５】
上記角枠部材１５〜１８と中間枠部材１９，２０と調整枠部材２１〜２４とは、基本的に全て同じ断面形状を有するもので、図５にその断面形状が１つの調整枠部材２３によって代表的に示されている。この図からから分かるように、上記各枠部材１５〜２４は、略Ｌ字形の断面形状を有するもので、浴室の内側に向けて水平に延出して上記浴槽パン６又は洗い場パン７の端部と結合される水平枠縁部２７と、鉛直に立ち上がって上記側壁部２における壁パネル９の下端部に結合される鉛直枠縁部２８とを有している。
【００１６】
上記水平枠縁部２７には凹段部２７ａが形成されていて、ここに上記浴槽パン６又は洗い場パン７の端部がシール材を介在させるなどして段差なく載置され、接着やねじ止めなどの適宜方法で液密に結合されている。また、上記鉛直枠縁部２８にも、上下２段にわたって凹段部２８ａ，２８ｂが形成され、上側の幅の広い第１凹段部２８ａには、厚くて強度の大きいベース板９ａが液密に取り付けられ、下側の幅の狭い第２凹段部２８ｂには、厚さが薄くて防水性のある化粧板９ｂが液密に取り付けられ、これらのベース板９ａと化粧板９ｂとによって上記壁パネル９が構成されている。これらのベース板９ａと化粧板９ｂとは、必要であれば一体に接着することができる。
【００１７】
なお、上記ベース板９ａ及び化粧板９ｂは、例えば木、合成樹脂、繊維強化プラスチック、ステンレス等の金属などによって形成することができる。
また、図５に示す例では、上記ベース板９ａが、縦横に組んだ骨材の表裏面に表面板と裏面板とを張設してなる中空プレート状をしているが、図４に示すような中実のプレートであっても良い。
【００１８】
上記調整枠部材２１〜２４と角枠部材１５〜１８及び中間枠部材１９，２０との連結は、図２に示すように、隣接する枠部材の端部同士を突き合わせ、継ぎ目の外面又は内面あるいは内外両面に、これらの枠部材と同様の断面形状を有する連結部材３２を、シール剤を介在させて上記継ぎ目を覆うように当接させ、それらを接着やねじ止めなどの適宜方法で液密に固定することにより行われる。
この場合、上記浴槽パン６及び洗い場パン７の大きさに合わせて外枠体８Ａの大きさを調整する必要があるときは、予め長尺に形成しておいた調整枠部材２１〜２４を必要な長さに切断して使用するか、あるいは、各種長さに形成された調整枠部材の中から必要な長さを有するものを選択して使用すれば良い。
【００１９】
外枠体８Ａをこのような構造とすることにより、上記角枠部材１５〜１８と中間枠部材１９，２０とを、大きさの異なるハウジングに共通に使用できる共通部品として規格化しておき、それらの間に連結される調整枠部材２１〜２４の長さだけを調整することによって該外枠体８Ａの大きさを調整することができるため、浴槽５の大きさに適合するハウジングを簡単に形成し、施工することが可能となる。この場合、上記４つの角枠部材１５〜１８の形状及び大きさを一種類に統一し、また、２つの中間枠部材１９，２０の形状及び大きさも一種類に統一しておくことにより、これらの角枠部材と中間枠部材と調整枠部材とを、それぞれ１種類ずつ必要数だけ用意すれば良いので、各部材の生産性が高まると同時に、管理や施工時の取り扱い性も向上する。
【００２０】
一方、上記仕切部材８Ｂは、図６及び図７からも分かるように、上記外枠体８Ａの第１側辺１１と第２側辺１２とに跨る長さを有するバー状をなすもので、その上面における幅方向の中央部には、平らな頂面を備えた山形の突条３４が長さ方向の全長にわたって形成され、また、幅方向の両端部には、上記浴槽パン６及び洗い場パン７の端部を載置して結合するための凹段状の連結縁部３５，３５がほぼ全長にわたり形成されている。
【００２１】
また、上記仕切部材８Ｂの長さ方向の中間位置には、上記突条３４の両側の位置にそれぞれ排水孔３６，３６が形成されると共に、該仕切部材８Ｂの下面にこれらの排水孔からの排水を受ける排水受け皿３７が取り付けられ、この排水受け皿３７に配水管３８が接続されている。図中３６ａは、上記浴槽パン６及び洗い場パン７の端部の上記排水孔３６に重なる部分に形成された切り欠きである。従って上記仕切部材８Ｂは、排水用の部材を兼用するものである。
【００２２】
上記仕切部材８Ｂは、長尺の部材を上記浴槽パン６及び洗い場パン７に適合する長さに切断して使用するか、あるいは、必要な長さを有するものを選んで使用する。該仕切部材８Ｂの両端部は、上記外枠体８Ａにおける中間枠部材１９，２０の水平枠縁部２７上に載置され、液密に結合されている。この場合、該水平枠縁部２７に上記突条３４と同じ断面形状を有する位置決め用の突起４０を形成しておき、この突起４０を上記突条３４に嵌合させた状態で結合することが望ましい。
【００２３】
かくして形成された床部１に対しては、図４に示すように、上記浴槽パン６の位置に浴槽５が設置され、この浴槽５の槽縁５ａと上記仕切部材８Ｂの突条３４の上面との間に、繊維強化プレスチックやステンレスなどからなるプレート状のエプロン４１が取り付けられる。
【００２４】
また、図１に示すように、ハウジングの四側面を取り囲む上記側壁部２は、複数の壁パネル９を相互に液密に連結することにより形成されている。そして、上記洗い場に対応する何れかの側面には、開閉自在のドア４２を有する出入口４３が形成されている。この場合、該出入口４３の位置において、枠部材２３の上向きに立ち上がった鉛直枠縁部２８を切除して水平枠縁部２７だけとすることにより、段差のないバリヤフリーの出入口とすることができる。
【００２５】
さらに、上記天井部３は、縦横方向の分割線４５ａ，４５ｂによって４つの天井パネル部材４６ａ〜４６ｄに区分されていて、これらの天井パネル部材４６ａ〜４６ｄを相互に液密に結合することにより組み立てられ、上記側壁部２を構成する壁パネル９の上端部に液密に結合されている。ここで、上記床部１に合わせて該天井部３の大きさを調整する必要ある時は、図８に示すように、各天井パネル部材４６ａ〜４６ｄ間に、不足する大きさ分の天井調整部材４７ａ，４７ｂを介在させれば良い。この場合、何れか一方向だけに調整部片を介在させることもできる。
【００２６】
上述したハウジング構造を有するユニットバスを設置する場合は、備え付ける予定の浴槽５に合わせて浴槽パン６及び洗い場パン７の大きさを決めたあと、床枠８がこれら両パン６，７に適合する大きさとなるように調整枠部材２１〜２４及び仕切部材８Ｂの長さを調整し、長さ調整された調整枠部材２１〜２４を上記角枠部材１５〜１８と中間枠部材１９，２０とに結合して外枠体８Ａを組み立てると共に、この外枠体８Ａに上記仕切部材８Ｂを結合し、さらに上記浴槽パン６及び洗い場パン７を取り付けることにより床部１を形成する。次に、上記浴槽パン６の位置に浴槽５を設置したあと、この床部１に寸法調整した側壁部２と天井部３とを組み付け、照明器具や換気扇等の関連部品を取り付けることにより、ハウジングの内部に上記浴槽５が備え付けられたユニットバスが完成する。
【００２７】
なお、上記実施形態においては、外枠体８Ａにおける各枠部材１５〜２４を連結する場合、それらの端面同士を相互に突き合わせ、継ぎ目を跨ぐ連結部材３２で固定するようにしているが、図９に示すように、何れか一方の枠部材の端部をクランク形に折曲することによって凹段状の連結部３１を形成し、この連結部３１に他方の枠部材の真っ直ぐな連結用端部３３をシール剤を介在させて重合し、それらを液密に固定するようにしても良い。その際、上記継ぎ目の外面又は内面あるいは内外両面に、上述したような連結部材３２を取り付けることもできる。
上記連結部３１は、角枠部材１５〜１８と中間枠部材１９，２０の両端部に形成し、切断により長さ調整する調整枠部材２１〜２４の端部は、真っ直ぐな連結用端部３３としておこことが望ましい。
【００２８】
あるいは、角枠部材１５〜１８と中間枠部材１９，２０と調整枠部材２１〜２４との一端にそれぞれ上述したような凹段状の連結部３１を設け、他端は真っ直ぐな連結用端部３３としておき、これらの凹段状連結部３１と連結用端部３３とを相互に結合することにより各枠部材を順次連結するようにしても良い。この場合の外枠体８Ａの大きさの調整は、何れかの枠部材の連結用端部３３側を余分な寸法分だけ切除することにより、簡単に行うことができる。外枠体８Ａの大きさが不足する場合には、同様の構成を有する必要長さの調整枠部材を追加することもできる。
また、上記各枠部材の断面形状も図示したものに限定されないことは言うまでもないことである。
【００２９】
図１０及び図１１は本発明の第２実施形態を床部１について示すもので、この第２実施形態においては、洗い場パン７の端辺に沿って、複数の排水孔５１を有する排水孔形成部５０を設けると共に、該排水孔形成部５０の下面に排水受け溝５３を形成し、この排水受け溝５２を通じて排水を外部に排出するように構成されている。そして、ハウジングの側面の上記排水孔形成部５０に対応する位置に出入口を形成している。この場合、その出入口の位置において、枠部材２３の上向きに立ち上がった鉛直枠縁部２８を完全に切除し、水平枠縁部２７を残すことにより、段差のない出入口を有するバリヤフリーのハウジング（従ってユニットバス）を形成することができる。
【００３０】
この場合、上記第１形態において仕切部材８Ｂに形成された排水孔３６のうち、洗い場パン７側の排水孔は形成する必要がないが、それを設けてあっても構わない。
また、上記排水孔形成部５０は、洗い場パン７とは別の部材として形成し、それを該洗い場パン７に隣接させて設置することもできる。
【００３１】
この第２実施形態における上記以外の構成は実質的に第１実施形態と同じであるから、それらの主要な同一構成部分に第１実施形態と同じ符号を付してその説明は省略する。
【００３２】
なお、上記第２実施形態における上記排水孔５１及び排水受け溝５２は、図示したように洗い場パン７の一つの端辺に沿って形成するだけでなく、この端辺に直角に隣接する他の１つ又は２つの端辺にも形成することができ、あるいは４つの端辺全てに形成することもできる。
【図面の簡単な説明】
【００３３】
【図１】本発明に係るハウジングの第１実施形態を示す外観斜視図である。
【図２】床部の平面図である。
【図３】床部を分解して示す平面図である。
【図４】図２におけるＡ−Ａ線での断面図である。
【図５】図２におけるＢ−Ｂ線での断面図である。
【図６】図２におけるＣ−Ｃ線での断面図である。
【図７】図２におけるＤ−Ｄ線での断面図である。
【図８】天井部の平面図である。
【図９】枠部材の連結構造の他例を示す部分斜視図である。
【図１０】本発明の第２実施形態における床部の部分平面図である。
【図１１】図１０におけるＥ−Ｅ線での断面図である。
【符号の説明】
【００３４】
１      床部
２      側壁部
３      天井部
５      浴槽
６      浴槽パン
７      洗い場パン
８      床枠
８Ａ      外枠体
８Ｂ      仕切部材
１１      第１側辺
１２      第２側辺
１３      第３側辺
１４      第４側辺
１５〜１８      角枠部材
１９，２０      中間枠部材
２１〜２４      調整枠部材
４５ａ，４５ｂ      分割線
４６ａ〜４６ｄ      天井パネル部材
４７ａ，４７ｂ      天井調整部材
【図１】
2006299613.tif 000003
【図２】
2006299613.tif 000004
【図３】
2006299613.tif 000005
【図４】
2006299613.tif 000006
【図５】
2006299613.tif 000007
【図６】
2006299613.tif 000008
【図７】
2006299613.tif 000009
【図８】
2006299613.tif 000010
【図９】
2006299613.tif 000011
【図１０】
2006299613.tif 000012
【図１１】
2006299613.tif 000013